(57)【要約】  本発明は、スクリーンと、駆動回路と、などからなり、駆動回路における表示駆動回路の各出力端が、表示／タッチ信号ゲート出力回路又は表示／タッチ信号ローディング回路における各ユニットを介してスクリーンの各電極線にそれぞれ接続されるタッチフラットパネルディスプレイを開示する。表示／タッチ信号ゲート出力回路又は表示／タッチ信号ローディング回路の各ユニットは、１本又は複数本の電気回路を介してタッチ励起源に接続され、表示／タッチ信号ゲート出力回路又は表示／タッチ信号ローディング回路は、２本よりも多いスクリーン電極線を、タッチ励起エネルギーを供給するタッチ励起源に同時に連通し、タッチ回路は、時分割的に、タッチ励起源のスクリーンの各電極線に接続される電気回路におけるタッチ信号の変化を検出することにより、各スクリーンの電極線の位置がタッチされたか否かを判定する。本発明にかかるタッチ回路と表示駆動回路及びスクリーンとの回路構成関係によれば、異なるスクリーンの電極線へタッチ励起信号を同時に与えることが達成され、タッチが効果的且つ正確に位置決められるようにスクリーンにおけるタッチ信号の流れ方向が制御される。【選択図】図３
2012532389.tif 000002
【特許請求の範囲】
【請求項１】
スクリーンと、
表示駆動エネルギーを供給する表示駆動源及び表示信号ゲート出力回路を含む表示駆動回路、並びにタッチ回路を有する駆動回路と
を備え、
表示駆動回路における表示信号ゲート出力回路の各出力端の各々は、表示／タッチ信号ゲート出力回路又は表示／タッチ信号ローディング回路の各ユニットの入力端に接続され、前記表示／タッチ信号ゲート出力回路又は表示／タッチ信号ローディング回路の各ユニットの出力端の各々は、前記スクリーンの各電極線に接続され、
前記表示／タッチ信号ゲート出力回路又は表示／タッチ信号ローディング回路の各ユニットは、１本又は複数本の電気回路を介して、タッチ励起エネルギーを供給するタッチ励起源に接続され、前記表示／タッチ信号ゲート出力回路又は表示／タッチ信号ローディング回路により、２本よりも多い前記スクリーンの電極線を同時に前記タッチ励起源に連通し、前記タッチ回路は、前記タッチ励起源を前記スクリーンの各電極線に接続する電気回路におけるタッチ信号の変化を時分割的に検出することにより、前記スクリーンの各々の電極線の位置がタッチされたか否かを判定することを特徴とするタッチフラットパネルディスプレイ。
【請求項２】
前記表示／タッチ信号ゲート出力回路又は表示／タッチ信号ローディング回路の各ユニットは、１本の電気回路を介して前記タッチ励起源に接続され、前記タッチ回路は、前記表示／タッチ信号ゲート出力回路又は表示／タッチ信号ローディング回路ユニットの前記タッチ励起源に接続する回路におけるタッチ信号の変化を検出することにより、スクリーン電極線がタッチされたか否かを判定することを特徴とする請求項１に記載のタッチフラットパネルディスプレイ。
【請求項３】
前記表示／タッチ信号ゲート出力回路又は表示／タッチ信号ローディング回路のユニットは、２本以上の電気回路を介して前記タッチ励起源に接続され、前記タッチ回路は、前記表示／タッチ信号ゲート出力回路又は表示／タッチ信号ローディング回路ユニットの前記タッチ励起源に接続する複数本の回路のうちの少なくとも１本の回路におけるタッチ信号の変化を検出することにより、スクリーン電極線がタッチされたか否かを判定することを特徴とする請求項１に記載のタッチフラットパネルディスプレイ。
【請求項４】
前記表示／タッチ信号ゲート出力回路又は表示／タッチ信号ローディング回路ユニットの前記タッチ励起源に接続する２本以上の回路は、ゲート回路により選択的な連通を図ることを特徴とする請求項３に記載のタッチフラットパネルディスプレイ。
【請求項５】
前記タッチ回路によるタッチ信号を検出する検出点は、前記タッチ励起源と前記表示／タッチ信号ゲート出力回路又は表示／タッチ信号ローディング回路ユニットとの接続回路に設置されるか、前記表示／タッチ信号ゲート出力回路又は表示／タッチ信号ローディング回路ユニットと前記スクリーンの電極線との接続回路に設置されることを特徴とする請求項１から４の何れか１項に記載のタッチフラットパネルディスプレイ。
【請求項６】
前記検出点は、ゲート回路を介して前記タッチ回路に接続されることを特徴とする請求項５に記載のタッチフラットパネルディスプレイ。
【請求項７】
前記タッチ回路に含まれるタッチ信号検出回路は、受動素子又は能動素子、又は複数の素子からなる回路ユニットであることを特徴とする請求項１から６の何れか１項に記載のタッチフラットパネルディスプレイ。
【請求項８】
前記タッチ回路は、前記タッチ励起源に接続される複数本の回路のうちの少なくとも１本の回路におけるタッチ信号を検出し、また、電流信号及び電圧信号の少なくとも一方を検出することを特徴とする請求項１から７の何れか１項に記載のタッチフラットパネルディスプレイ。
【請求項９】
前記タッチ回路は、前記タッチ励起源に接続される複数本の回路のうちの少なくとも１本の回路におけるタッチ信号を検出し、振幅、時間、位相、周波数信号及びパルスのうちの少なくとも一方を検出することを特徴とする請求項１から８の何れか１項に記載のタッチフラットパネルディスプレイ。
【請求項１０】
前記スクリーンの各電極線に接続されるタッチ励起源は、同一のタッチ励起源における同一の出力端、同一のタッチ励起源における異なる出力端、又は異なるタッチ励起源であることを特徴とする請求項１から９の何れか１項に記載のタッチフラットパネルディスプレイ。
【請求項１１】
前記タッチ励起源は、ＡＣ電源又はＡＣ・ＤＣの複合電源であり、出力波形は、方形波、正弦波、方形波若しくは正弦波とＤＣとの合成波、又は他の波形であることを特徴とする請求項１から１０の何れか１項に記載のタッチフラットパネルディスプレイ。
【請求項１２】
前記駆動回路が前記表示／タッチ信号ゲート出力回路又は表示／タッチ信号ローディング回路を介して前記スクリーンの電極線に出力するタッチ信号の周波数は、５０Ｋ  Ｈｚ以上であることを特徴とする請求項１から１１の何れか１項に記載のタッチフラットパネルディスプレイ。
【発明の詳細な説明】
【技術分野】
【０００１】
本発明は、タッチスクリーン及びフラットパネルディスプレイに関し、特にタッチフラットパネルディスプレイに関する。
【背景技術】
【０００２】
「タッチ型フラットパネルディスプレイ」という中国特許出願２００６１００９４８１４１号の明細書には、アナログスイッチにより、スクリーン電極が表示駆動信号を送信したり、タッチ信号を送信・検知したりするようにして、表示駆動及びタッチ検出の場合にスクリーン電極を時分割多重化し、スクリーン電極を表示駆動にもタッチ検出にも用いる、タッチ回路とスクリーン電極との接続方式が開示されている。また、「タッチ機能を有するフラットパネルディスプレイ」という中国特許出願２００６１０１０６５５８３号の明細書には、信号ローディング回路により、スクリーン電極が表示駆動信号を送信するとともにタッチ信号を送信・検知するようにし、表示駆動及びタッチ検知の場合にスクリーン電極を同時に共用し、スクリーン電極を表示駆動にもタッチ検出にも用いる、もう１つのタッチ回路とスクリーン電極との接続方式が開示されている。前記開示された方式により、スクリーンとタッチスクリーンとが一体化される。
【０００３】
「タッチ型フラットパネルディスプレイ」という中国特許出願２００８１０１３３４１７Ｘ号の明細書には、スクリーンにおける異なる電極線をタッチ励起源に同時に連通することにより、異なるスクリーン電極線へタッチ励起信号を同時に与える方式を達成させ、スクリーンにおけるタッチ励起信号の流れ方向を制御し、スクリーンのそれぞれの電極線間でのタッチ信号のクロストークを低減させ、正確なタッチ位置決めを図る、スクリーン電極線にタッチ励起信号を与える方式が開示されている。
【０００４】
その上に、タッチ回路と表示駆動回路及びスクリーン電極との接続が簡単にでき、タッチ回路における回路ユニットができるだけ低減され、さらに表示駆動回路とタッチ回路とを一体化することも可能になるように、タッチ回路と表示駆動回路との合理的な接続を求めることは、非常に遣り甲斐のあることでもある。
【発明の概要】
【発明が解決しようとする課題】
【０００５】
本発明は、タッチ回路と表示駆動回路及びスクリーンの回路構成関係を形成し、タッチ励起と表示駆動及びスクリーン電極線の簡単且つ合理的な接続を実現し、スクリーンにおける異なる電極線を同時にタッチ励起源に連通し、異なるスクリーンの電極線にタッチ励起を同時に与えて、スクリーンにおけるタッチ信号の流れ方向を制御し、スクリーンのそれぞれの電極線間におけるタッチ信号のクロストークを低減させ、タッチに対する効果的な検出及び正確な位置決めを図ることを目的とする。
【課題を解決するための手段】
【０００６】
本発明の技術的課題は、以下の技術的手段により解決される。
【０００７】
スクリーンと、駆動回路と、などからなり、さらに、駆動回路には、表示駆動回路と、タッチ回路と、などを含み、表示駆動回路は表示駆動エネルギーを供給する表示駆動源及び表示信号ゲート出力回路を有し、表示駆動回路における表示信号ゲート出力回路の各出力端は、それぞれ表示／タッチ信号ゲート出力回路又は表示／タッチ信号ローディング回路の各ユニットの入力端に接続され、信号表示／タッチゲート回路又は表示／タッチ信号ローディング回路の各ユニットの出力端は、それぞれスクリーンの各電極線に接続されるタッチフラットパネルディスプレイであって、表示／タッチ信号ゲート出力回路又は表示／タッチ信号ローディング回路の各ユニットは、１本又は複数本の電気回路を介してタッチ励起源に接続され、表示／タッチ信号ゲート出力回路又は表示／タッチ信号ローディング回路により、２本よりも多いスクリーン電極線を同時にタッチ励起エネルギーを供給するタッチ励起源に連通し、タッチ回路は、タッチ励起源のスクリーンの各電極線に接続する電気回路におけるタッチ信号の変化を時分割的に検出することにより、各スクリーンの電極線の位置がタッチされたか否かを判定するタッチフラットパネルディスプレイである。
【０００８】
さらに、本発明の技術的課題は、以下の技術的手段により解決される。
【０００９】
本発明の他の態様によれば、前記スクリーンの電極線をタッチ励起源に連通する表示／タッチ信号ゲート出力回路又は表示／タッチ信号ローディング回路の各ユニットは、１本の電気回路を介してタッチ励起源に接続され、タッチ回路は、表示／タッチ信号ゲート出力回路又は表示／タッチ信号ローディング回路ユニットのタッチ励起源に接続する回路におけるタッチ信号の変化を検出することにより、ゲートタッチ励起源のスクリーン電極線の位置がタッチされたか否かを判定する。
【００１０】
本発明の他の態様によれば、前記スクリーンの電極線をタッチ励起源に連通する表示／タッチ信号ゲート出力回路又は表示／タッチ信号ローディング回路のユニットは、２本以上の電気回路を介してタッチ励起源に接続され、タッチ回路は、表示／タッチ信号ゲート出力回路又は表示／タッチ信号ローディング回路ユニットのタッチ励起源に接続する複数本の回路のうちの少なくとも１本の回路におけるタッチ信号の変化を検出することにより、ゲートタッチ励起源のスクリーン電極線の位置がタッチされたか否かを判定する。
【００１１】
本発明の他の態様によれば、前記表示／タッチ信号ゲート出力回路又は表示／タッチ信号ローディング回路ユニットをタッチ励起源に接続する２本以上の回路は、ゲート回路により選択的な連通を図る。
【００１２】
本発明の他の態様によれば、前記タッチ回路によるタッチ信号を検出する検出点は、タッチ励起源と表示／タッチ信号ゲート出力回路又は表示／タッチ信号ローディング回路ユニットとの接続回路に設けられ、或いは、表示／タッチ信号ゲート出力回路又は表示／タッチ信号ローディング回路ユニットとスクリーンの電極線との接続回路に設けられている。
【００１３】
本発明の他の態様によれば、前記タッチ信号を検出する検出点は、タッチ信号の変化を検出するための電位点又は素子である。
【００１４】
本発明の他の態様によれば、前記ゲート回路は、アナログスイッチであってもよく、ゲート機能を果たす他の回路であってもよい。
【００１５】
本発明の他の態様によれば、前記タッチ回路のタッチ信号検出回路は、受動素子又は能動素子、又は複数の素子からなる回路ユニットである。
【００１６】
本発明の他の態様によれば、前記タッチ回路は、タッチ励起源に接続される複数本の回路のうちの少なくとも１本の回路におけるタッチ信号を検出し、また、電流信号及び電圧信号の少なくとも一方を検出する。
【００１７】
本発明の他の態様によれば、前記タッチ回路は、タッチ励起源に接続される複数本の回路のうちの少なくとも１本の回路におけるタッチ信号を検出し、振幅、時間、位相、周波数信号及びパルスのうちの少なくとも一方を検出する。
【００１８】
本発明の他の態様によれば、前記スクリーンの各電極線に接続されるタッチ励起源は、同一のタッチ励起源における同一の出力端であってよく、同一のタッチ励起源における異なる出力端であってもよく、異なるタッチ励起源であってもよい。
【００１９】
本発明の他の態様によれば、前記タッチ励起源は、ＡＣ電源であってもよく、ＡＣ・ＤＣの複合電源であってよく、出力波形は、方形波であってもよく、正弦波であってもよく、方形波又は正弦波とＤＣとの合成波であってもよく、他の波形であってもよい。
【００２０】
本発明の他の態様によれば、前記駆動回路が表示／タッチ信号ゲート出力回路又は表示／タッチ信号ローディング回路を介してスクリーンの電極線へ出力するタッチ信号の周波数は、５０Ｋ  Ｈｚ以上である。
【発明の効果】
【００２１】
本発明は、従来技術と比べると、以下の有益な効果を有する。
【００２２】
本発明にかかる手段は、タッチ回路と表示駆動回路及びスクリーン電極との接続を合理的にする、非常に具体的なタッチ回路と表示駆動回路及びスクリーンとの回路構成関係である。スクリーンにおける異なる電極線を同時にタッチ励起源に接続することにより、異なるスクリーンの電極線へタッチ励起信号を同時に与え、スクリーンにおけるタッチ信号の流れ方向を制御し、スクリーンの異なる電極線間におけるタッチ信号のクロストークを低減することができるとともに、僅かなタッチ回路ユニットだけで、スクリーンにおける異なる電極線を流れているタッチ信号をそれぞれ検出して、マルチタッチ回路ユニットの体積、電力消費及びコストを低減することができる。タッチ回路と表示駆動回路及びスクリーン電極との接続を簡単に達成可能にし、さらに表示駆動回路とタッチ回路とを一体化することも可能になる。また、合理的なタッチされた電極線の判定条件を設定することにより、本発明のタッチフラットパネルディスプレイが同時マルチタッチに対応可能になる。
【図面の簡単な説明】
【００２３】
【図１】本発明の実施形態１の電気的接続を模式的に示す図である。
【図２】本発明の実施形態２の電気的接続を模式的に示す図である。
【図３】本発明の実施形態３の電気的接続を模式的に示す図である。
【図４】本発明の実施形態４の電気的接続を模式的に示す図である。
【図５】本発明の実施形態５の電気的接続を模式的に示す図である。
【図６】本発明の実施形態６の電気的接続を模式的に示す図である。
【図７】本発明の実施形態７の電気的接続を模式的に示す図である。
【図８】本発明の実施形態８の電気的接続を模式的に示す図である。
【図９】本発明の実施形態９の電気的接続を模式的に示す図である。
【図１０】本発明の実施形態10の電気的接続を模式的に示す図である。
【図１１】本発明の実施形態11の電気的接続を模式的に示す図である。
【図１２】本発明の実施形態12の電気的接続を模式的に示す図である。
【発明を実施するための形態】
【００２４】
フラットパネルディスプレイには、種々のものがある。液晶ディスプレイ（ＬＣＤ）を例として、例えば、ツイストネマティック（Ｔｗｉｓｔ  Ｎｅｍａｔｉｃ；ＴＮと略称する）型液晶ディスプレイ（ＴＮ−ＬＣＤ）やスーパーツイストネマティック（Ｓｕｐｅｒ  Ｔｗｉｓｔ  Ｎｅｍａｔｉｃ；ＳＴＮと略称する）型液晶ディスプレイ（ＳＴＮ−ＬＣＤ）のような受動型液晶ディスプレイは、一般的に、下ガラス基板に表示走査電極線または表示信号電極線（即ち、行電極線）を備え、上ガラス基板に表示信号電極線または表示走査電極線（即ち、列電極線）を備え、その交差部分が表示画素である。例えば、薄膜トランジスタ（Ｔｈｉｎ  Ｆｉｌｍ  Ｔｒａｎｓｉｓｔｏｒ；ＴＦＴと略称する）液晶ディスプレイ（ＴＦＴ−ＬＣＤ）のような能動型液晶ディスプレイは、一般的に、一方のガラス基板にあるＴＦＴアレイ及び表示画素アレイと、ＴＦＴのゲートに接続される表示走査電極線（即ち、行電極線）と、ＴＦＴのソースまたはドレインに接続される表示信号電極線（即ち、列電極線）と、他方のガラス基板にあるカラーフィルター及び共通電極とを備える。さらに、プラズマディスプレイ（ＰＤＰ）、能動型及び受動型有機発光ダイオードディスプレイ（ＯＬＥＤ）などの他のフラットパネルディスプレイも、同様に、表示走査電極線及び表示信号電極線（即ち、行列電極線）を有する。
【００２５】
本発明にかかるタッチフラットパネルディスプレイは、スクリーンと、駆動回路と、などからなり、さらに、駆動回路には、表示駆動回路と、タッチ回路と、などが含まれ、駆動回路の各出力端がそれぞれスクリーンの各本の電極線に接続されている。また、表示駆動回路に接続されるタッチ回路により、フラットパネルディスプレイの行列電極線に対してタッチ検出を行い、表示駆動及びタッチ検出の場合にスクリーン電極を多重化することで、フラットパネルディスプレイに正常表示と共にタッチ検出を実現させる。
【００２６】
実施形態１
図１に示すタッチフラットパネルディスプレイ１００は、スクリーン１１０と、駆動回路１２０とを備える。駆動回路１２０は、制御回路１２１と、表示駆動エネルギーを供給する表示駆動源１２２と、タッチ励起エネルギーを供給するタッチ励起源１２３と、表示信号ゲート出力回路１２４と、タッチ回路１２５と、表示／タッチ信号ゲート出力回路１２６と、などを備える。スクリーン１１０は、スクリーンの行電極１１１及び列電極１１２などを有する。表示信号ゲート出力回路１２４の入力端は表示駆動源１２２に接続され、表示信号ゲート出力回路１２４の各出力端は、それぞれ表示／タッチ信号ゲート出力回路１２６の各ゲート回路ユニット１２６１、１２６２、…、１２６ｎの一方の入力端に接続され、各ゲート回路ユニット１２６１、１２６２、…、１２６ｎの他方の入力端は、それぞれタッチ回路１２５のタッチ信号サンプリングユニット１３１、１３２、…、１３ｎを介してタッチ励起源１２３に接続され、前記各タッチ信号サンプリングユニット１３１、１３２、…、１３ｎはタッチ回路１２５に接続され、前記タッチ回路１２５はサンプリングユニットにおけるタッチ信号の変化を検出し、表示／タッチ信号ゲート出力回路１２６の各ゲート回路ユニット１２６１、１２６２、…、１２６ｎの出力端は、それぞれスクリーンの行電極１１１及び列電極１１２の各電極線に接続される。
【００２７】
制御回路１２１は、表示／タッチ信号ゲート出力回路１２６により、スクリーンの各電極線を、表示信号ゲート出力回路１２４が、接続されるスクリーンの行電極１１１及び列電極１１２の各電極線へ表示駆動信号を送信するように表示信号ゲート出力回路１２４の各出力端に接続したり、タッチ励起源１２３が、接続されるスクリーンの行電極１１１及び列電極１１２の各電極線へタッチ励起信号を与えるようにタッチ励起源１２３に連通したりする。図１における各本の接続線は、単線による接続だけでなく、複数の線による接続関係も示す。
【００２８】
前記タッチフラットパネルディスプレイは、以下のように作動する。
【００２９】
表示駆動の時期では、駆動回路１２０における表示／タッチ信号ゲート出力回路１２６により、スクリーンの各電極線を表示信号ゲート出力回路１２４の各出力端に連通して、制御回路１２１により、表示信号ゲート出力回路１２４が、接続されるスクリーンの行電極１１１及び列電極１１２へ表示駆動信号を送信し、スクリーン１１０は表示駆動状態になる。
【００３０】
タッチ検出の時期では、制御回路１２１は、表示／タッチ信号ゲート出力回路１２６により、スクリーンの各電極線をそれぞれ各タッチ信号サンプリングユニット１３１、１３２、…、１３ｎを介してタッチ励起源１２３に連通し、タッチ励起源１２３によりスクリーンの行電極１１１及び列電極１１２の各電極線へタッチ励起信号を同時に与える。タッチ回路１２５は、各タッチ信号サンプリングユニット１３１、１３２、…、１３ｎにおけるタッチ信号の変化を検出することにより、スクリーン１１０がタッチされたか否か、どの行列電極線の位置がタッチされたかを判定し、スクリーン１１０はタッチ検出状態になる。検出されたタッチされた行電極線とタッチされた列電極線との交差点から、タッチされたポイントの位置が決定される。
【００３１】
タッチフラットパネルディスプレイ１００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００３２】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００３３】
スクリーン電極を、表示駆動回路に連通して表示駆動信号を送信したり、タッチ回路に連通してタッチ信号を送信したりする表示／タッチ信号ゲート出力回路は、アナログマルチプレクサであってもよく、ゲートとして機能する他の回路であってもよい。
【００３４】
タッチ信号サンプリングユニットは、単一の抵抗、キャパシタンスやインダクタンスの受動素子であってもよく、複数種の受動素子の組み合わせであってもよく、単一の能動素子であってもよく、または、能動素子を備える回路ユニットであってもよい。
【００３５】
実施形態２
図２に示すタッチフラットパネルディスプレイ２００は、スクリーン２１０と、駆動回路２２０とを備える。駆動回路２２０は、制御回路２２１と、表示駆動エネルギーを供給する表示駆動源２２２と、タッチ励起エネルギーを供給するタッチ励起源２２３と、表示信号ゲート出力回路２２４と、タッチ回路２２５と、アナログスイッチ群２２６からなる表示／タッチ信号ゲート出力回路と、などを備える。スクリーン２１０は、スクリーンの行電極２１１及び列電極２１２などを有する。表示信号ゲート出力回路２２４の入力端は表示駆動源２２２に接続され、表示信号ゲート出力回路２２４の各出力端は、それぞれアナログスイッチ群２２６の各アナログスイッチの一方の入力端に接続され、アナログスイッチ群２２６の各アナログスイッチの他方の入力端はそれぞれタッチ励起源２２３に接続され、アナログスイッチ群２２６の各アナログスイッチの出力端はそれぞれスクリーンの行電極２１１及び列電極２１２の各電極線に接続される。アナログスイッチ群２２６とタッチ励起源２２３との接続点には、それぞれスクリーンの各電極線に対応するタッチ回路２２５のタッチ信号検出点２３１、２３２、…、２３ｎが設置され、タッチ回路２２５に接続され、前記タッチ回路２２５はタッチ信号検出点における電位の変化を検出し、電位測定の参照端点は、駆動回路２２０の共通グランド端に設けられてもよく、駆動回路２２０のある特定の参照ポイントに設けられてもよい。制御回路２２１は、アナログスイッチ群２２６により、スクリーンの各電極線を、表示信号ゲート出力回路２２４が、接続されるスクリーンの行電極２１１及び列電極２１２の各電極線へ表示駆動信号を送信するように表示信号ゲート出力回路２２４の各出力端に連通したり、タッチ励起源２２３が、接続されるスクリーンの行電極２１１及び列電極２１２の各電極線へタッチ励起信号を与えるようにタッチ励起源２２３に連通したりする。図２における各本の接続線は、単線による接続だけでなく、複数の線による接続関係も示す。
【００３６】
前記タッチフラットパネルディスプレイは、以下のように作動する。
【００３７】
表示駆動の時期では、駆動回路２２０におけるアナログスイッチ群２２６は、スクリーンの各電極線を表示信号ゲート出力回路２２４の各出力端に連通し、制御回路２２１は、表示信号ゲート出力回路２２４により、接続されるスクリーンの行電極２１１及び列電極２１２へ表示駆動信号を送信し、スクリーン２１０は表示駆動状態になる。
【００３８】
タッチ検出の時期では、制御回路２２１は、アナログスイッチ群２２６により、スクリーンの各電極線をタッチ励起源２２３に連通し、タッチ励起源２２３によりスクリーンの行電極２１１及び列電極２１２の各電極線へタッチ励起信号を同時に与える。タッチ回路２２５は、各タッチ信号検出点２３１、２３２、…、２３ｎにおけるタッチ信号の変化を検出することにより、スクリーン２１０がタッチされたか否か、どの行列電極線の位置がタッチされたかを判定し、スクリーン２１０はタッチ検出状態になる。検出されたタッチされた行電極線とタッチされた列電極線との交差点から、タッチされたポイントの位置が決定される。
【００３９】
タッチフラットパネルディスプレイ２００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００４０】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００４１】
実施形態３
図３に示すタッチフラットパネルディスプレイ３００は、スクリーン３１０と、駆動回路３２０とを備える。駆動回路３２０は、制御回路３２１と、表示駆動エネルギーを供給する表示駆動源３２２と、タッチ励起エネルギーを供給するタッチ励起源３２３と、表示信号ゲート出力回路３２４と、タッチ回路３２５と、アナログスイッチ群３２６からなる表示／タッチ信号ゲート出力回路及びアナログスイッチ群３２７と、などを備える。スクリーン３１０は、スクリーンの行電極３１１及び列電極３１２などを有する。表示信号ゲート出力回路３２４の入力端は表示駆動源３２２に接続され、表示信号ゲート出力回路３２４の各出力端はそれぞれアナログスイッチ群３２６の各アナログスイッチの一方の入力端に接続され、アナログスイッチ群３２６の各アナログスイッチの他方の入力端は、それぞれタッチ回路３２５のタッチ信号サンプリングユニット３３１、３３２、…、３３ｎを介して一緒にタッチ励起源３２３に接続され、アナログスイッチ群３２６の各アナログスイッチの出力端は、それぞれスクリーンの行電極３１１及び列電極３１２の各電極線に接続される。アナログスイッチ群３２６と各タッチ信号サンプリングユニット３３１、３３２、…、３３ｎとの間の接続点には、それぞれスクリーンの各電極線に対応するタッチ信号検出点が設置され、さらに、アナログスイッチ群３２７の各アナログスイッチを介してタッチ回路３２５に接続され、前記タッチ回路３２５は検出点における電位の変化を検出し、電位測定の参照端点は、タッチ励起源３２３の出力端に設けられてもよく、駆動回路３２０の共通グランド端に設けられてもよく、または、駆動回路３２０のある特定の参照ポイントに設けられてもよい。制御回路３２１は、アナログスイッチ群３２６により、スクリーンの各電極線を、表示信号ゲート出力回路３２４が、接続されるスクリーンの行電極３１１及び列電極３１２の各電極線へ表示駆動信号を送信するように表示信号ゲート出力回路３２４の各出力端に連通したり、タッチ励起源３２３が、接続されるスクリーンの行電極３１１及び列電極３１２の各電極線へタッチ励起信号を与えるようにタッチ励起源３２３に連通したりする。図３における各本の接続線は、単線による接続だけでなく、複数の線による接続関係も示す。
【００４２】
前記タッチフラットパネルディスプレイは、以下のように作動する。
【００４３】
表示駆動の時期では、駆動回路３２０におけるアナログスイッチ群３２６は、スクリーンの各電極線を表示信号ゲート出力回路３２４の各出力端に連通し、制御回路３２１は、表示信号ゲート出力回路３２４により、接続されるスクリーンの行電極３１１及び列電極３１２へ表示駆動信号を送信し、スクリーン３１０は表示駆動状態になる。
【００４４】
タッチ検出の時期では、制御回路３２１は、アナログスイッチ群３２６により、スクリーンの各電極線を、タッチ励起源３２３が、スクリーンの行電極３１１及び列電極３１２の各電極線へタッチ励起信号を同時に与えるようにタッチ励起源３２３に連通する。制御回路３２１は、アナログスイッチ群３２７により、アナログスイッチ群３２６と各タッチ信号サンプリングユニット３３１、３３２、…、３３ｎとの間のタッチ信号検出点をそれぞれタッチ回路３２５に連通し、タッチ回路３２５は、各タッチ信号検出点におけるタッチ信号の変化を逐次検出することにより、スクリーン３１０がタッチされたか否か、どの行列電極線の位置がタッチされたかを判定し、スクリーン３１０はタッチ検出状態になる。検出されたタッチされた行電極線とタッチされた列電極線との交差点から、タッチされたポイントの位置が決定される。
【００４５】
タッチフラットパネルディスプレイ３００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００４６】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００４７】
タッチ信号サンプリングユニットは、単一の抵抗又は静電容量やインダクタンスの受動素子であってもよく、複数種の受動素子の組み合わせであってもよく、または、単一の能動素子であってもよく、能動素子を有する回路ユニットであってもよい。
【００４８】
タッチ信号サンプリングユニットは、単一の抵抗、キャパシタンスやインダクタンスの受動素子であってもよく、複数種の受動素子の組み合わせであってもよく、単一の能動素子であってもよく、または、能動素子を備える回路ユニットであってもよい。
【００４９】
実施形態４
図４に示すタッチフラットパネルディスプレイ４００は、スクリーン４１０と、駆動回路４２０とを備える。駆動回路４２０は、制御回路４２１と、表示駆動エネルギーを供給する表示駆動源４２２と、タッチ励起エネルギーを供給するタッチ励起源４２３と、表示信号ゲート出力回路４２４と、タッチ回路４２５と、アナログスイッチ群４２６からなる表示／タッチ信号ゲート出力回路と、などを備える。スクリーン４１０は、スクリーンの行電極４１１及び列電極４１２、などを有する。表示信号ゲート出力回路４２４の入力端は表示駆動源４２２に接続され、表示信号ゲート出力回路４２４の各出力端は、それぞれアナログスイッチ群４２６の各アナログスイッチの一方の入力端に接続され、各アナログスイッチの他方の入力端は一緒にタッチ励起源４２３に接続され、アナログスイッチ群４２６の各アナログスイッチの出力端は、それぞれスクリーンの行電極４１１及び列電極４１２の各電極線に接続される。アナログスイッチ群４２６とスクリーン４１０の各電極線との接続点には、スクリーンの各電極線のそれぞれに対応するタッチ回路４２５の検出点４３１、４３２、…、４３ｎが設置されて、タッチ回路４２５に接続され、前記タッチ回路４２５は検出点における電位の変化を検出し、電位測定の参照端点は、タッチ励起源４２３の出力端に設けられてもよく、駆動回路４２０の共通グランド端に設けられてもよく、または、駆動回路４２０のある特定の参照ポイントに設けられてもよい。制御回路４２１は、アナログスイッチ群４２６によりスクリーンの各電極線を、表示信号ゲート出力回路４２４が、接続されるスクリーンの行電極４１１及び列電極４１２の各電極線へ表示駆動信号を送信するように表示信号ゲート出力回路４２４の各出力端に連通したり、タッチ励起源４２３が、接続されるスクリーンの行電極４１１及び列電極４１２の各電極線へタッチ励起信号を与えるようにタッチ励起源４２３に連通したりする。図４における各本の接続線は、単線による接続だけでなく、複数の線による接続関係も示す。
【００５０】
前記タッチフラットパネルディスプレイは、以下のように作動する。
【００５１】
表示駆動の時期では、駆動回路４２０のうちのアナログスイッチ群４２６は、スクリーンの各電極線を表示信号ゲート出力回路４２４の各出力端に連通し、制御回路４２１は、表示信号ゲート出力回路４２４により、接続されるスクリーンの行電極４１１及び列電極４１２へ表示駆動信号を送信し、スクリーン４１０は表示駆動状態になる。
【００５２】
タッチ検出の時期では、制御回路４２１は、アナログスイッチ群４２６によりスクリーンの各行列電極線をタッチ励起源４２３に連通し、タッチ励起源４２３により、スクリーンの行電極４１１及び列電極４１２の各電極線へタッチ励起信号を同時に与える。タッチ回路４２５は、各検出点４３１、４３２、…、４３ｎにおけるタッチ信号の変化を検出することにより、スクリーン４１０がタッチされたか否か、どの行列電極線の位置がタッチされたかを判定し、スクリーン４１０はタッチ検出状態になる。検出されたタッチされた行電極線とタッチされた列電極線との交差点から、タッチされたポイントの位置が決定される。
【００５３】
タッチフラットパネルディスプレイ４００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００５４】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００５５】
実施形態５
図５に示すタッチフラットパネルディスプレイ５００は、スクリーン５１０と、駆動回路５２０とを備える。駆動回路５２０は、制御回路５２１と、表示駆動エネルギーを供給する表示駆動源５２２と、タッチ励起エネルギーを供給するタッチ励起源５２３と、表示信号ゲート出力回路５２４と、タッチ回路５２５と、アナログスイッチ群５２６からなる表示／タッチ信号ゲート出力回路及びアナログスイッチ群５２７と、などを備える。スクリーン５１０は、スクリーンの行電極５１１及び列電極５１２などを有する。表示信号ゲート出力回路５２４の入力端は表示駆動源５２２に接続され、表示信号ゲート出力回路５２４の各出力端は、それぞれアナログスイッチ群５２６の各アナログスイッチの一方の入力端に接続され、各アナログスイッチの他方の入力端は一緒にタッチ励起源５２３に接続され、アナログスイッチ群５２６の各アナログスイッチの出力端は、それぞれスクリーンの行電極５１１及び列電極５１２の各電極線に接続される。アナログスイッチ群５２６とスクリーン５１０の各電極線との接続点には、それぞれスクリーンの各電極線に対応するタッチ信号検出点５３１、５３２、…、５３ｎが設置され、さらに、アナログスイッチ群５２７の各アナログスイッチを介してタッチ回路５２５に接続され、前記タッチ回路５２５は検出点における電位の変化を検出し、電位測定の参照端点は、タッチ励起源５２３の出力端に設けられてもよく、駆動回路５２０の共通グランド端に設けられてもよく、または、駆動回路５２０のある特定の参照ポイントに設けられてもよい。制御回路５２１は、アナログスイッチ群５２６により、スクリーンの各電極線を、表示信号ゲート出力回路５２４が、接続されるスクリーンの行電極５１１及び列電極５１２の各電極線へ表示駆動信号を送信するように表示信号ゲート出力回路５２４の各出力端に連通したり、タッチ励起源５２３が、接続されるスクリーンの行電極５１１及び列電極５１２の各電極線へタッチ励起信号を与えるようにタッチ励起源５２３に連通したりする。図５における各本の接続線は、単線による接続だけでなく、複数の線による接続関係も示す。
【００５６】
前記タッチフラットパネルディスプレイは、以下のように作動する。
【００５７】
表示駆動の時期では、駆動回路５２０におけるアナログスイッチ群５２６は、スクリーンの各電極線を表示信号ゲート出力回路５２４の各出力端に連通して、制御回路５２１は、表示信号ゲート出力回路５２４により、接続されるスクリーンの行電極５１１及び列電極５１２へ表示駆動信号を送信し、スクリーン５１０は表示駆動状態になる。
【００５８】
タッチ検出の時期では、制御回路５２１は、アナログスイッチ群５２６によりスクリーンの各電極線をタッチ励起源５２３に連通して、タッチ励起源５２３によりスクリーンの行電極５１１及び列電極５１２の各電極線へタッチ励起信号を同時に与える。制御回路５２１は、アナログスイッチ群５２７により、アナログスイッチ群５２６の各アナログスイッチの出力端とスクリーン５１０の各電極線との間のタッチ信号検出点をそれぞれタッチ回路５２５に連通し、タッチ回路５２５は、各タッチ信号検出点におけるタッチ信号の変化を逐次検出することにより、スクリーン５１０がタッチされたか否か、どの行列電極線の位置がタッチされたかを判定し、スクリーン５１０はタッチ検出状態になる。検出されたタッチされた行電極線とタッチされた列電極線との交差点から、タッチされたポイントの位置が決定される。
【００５９】
タッチフラットパネルディスプレイ５００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００６０】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００６１】
実施形態６
図６に示すタッチフラットパネルディスプレイ６００は、スクリーン６１０と、駆動回路６２０とを備える。駆動回路６２０は、制御回路６２１と、表示駆動エネルギーを供給する表示駆動源６２２と、タッチ励起エネルギーを供給するタッチ励起源６２３と、表示信号ゲート出力回路６２４と、タッチ回路６２５と、アナログスイッチ群６２６からなる表示／タッチ信号ゲート出力回路と、アナログスイッチ群６２７及びアナログスイッチ群６２８からなるゲート回路と、などを備える。スクリーン６１０は、スクリーンの行電極６１１及び列電極６１２などを有する。表示信号ゲート出力回路６２４の入力端は、表示駆動源６２２に接続され、表示信号ゲート出力回路６２４の各出力端は、それぞれアナログスイッチ群６２６の各アナログスイッチの一方の入力端に接続され、アナログスイッチ群６２６の各アナログスイッチの他方の入力端は一緒にタッチ励起源６２３に接続され、アナログスイッチ群６２６の各アナログスイッチの出力端は、それぞれスクリーンの行電極６１１及び列電極６１２の各電極線に接続される。アナログスイッチ群６２６とスクリーン６１０の各電極線との接続点には、それぞれスクリーンの各電極線に対応するタッチ信号サンプリング検出点６３１、６３２、…、６３ｉ、６３ｉ＋１、…、６３ｎが設置され、タッチ信号検出点６３１、…、６３ｉは、アナログスイッチ群６２７の各アナログスイッチを介してタッチ回路６２５のポート６２５１に接続され、タッチ信号検出点６３ｉ＋１、…、６３ｎは、アナログスイッチ群６２８の各アナログスイッチを介してタッチ回路６２５のポート６２５２に接続され、前記タッチ回路６２５は検出点における電位の変化を検出し、電位測定の参照端点は、タッチ励起源6２３の出力端に設けられてもよく、駆動回路６２０の共通グランド端に設けられてもよく、または、駆動回路６２０のある特定の参照ポイントに設けられてもよい。制御回路６２１は、アナログスイッチ群６２６により、表示信号ゲート出力回路６２４が、接続されるスクリーンの行電極６１１及び列電極６１２の各電極線へ表示駆動信号を送信するように、スクリーンの各電極線を表示信号ゲート出力回路６２４の各出力端に連通したり、タッチ励起源６２３が、接続されるスクリーンの行電極６１１及び列電極６１２の各電極線へタッチ励起信号を与えるように、タッチ励起源６２３に連通したりする。図６における各本の接続線は、単線による接続だけでなく、複数の線による接続関係も示す。
【００６２】
前記タッチフラットパネルディスプレイは、以下のように作動する。
【００６３】
表示駆動の時期では、駆動回路６２０におけるアナログスイッチ群６２６は、スクリーンの各電極線を表示信号ゲート出力回路６２４の各出力端に連通し、制御回路６２１は表示信号ゲート出力回路６２４により、接続されるスクリーンの行電極６１１及び列電極６１２へ表示駆動信号を送信し、スクリーン６１０は表示駆動状態になる。
【００６４】
タッチ検出の時期では、制御回路６２１は、アナログスイッチ群６２６により、スクリーンの各電極線をタッチ励起源６２３に連通し、タッチ励起源６２３により、スクリーンの行電極６１１及び列電極６１２の各電極線へタッチ励起信号を同時に与える。制御回路６２１は、アナログスイッチ群６２７により、アナログスイッチ群６２６の出力端とスクリーン６１０の電極線との間のタッチ信号検出点６３１、…、６３ｉを、それぞれタッチ回路６２５のポート６２５１に連通し、タッチ回路６２５は、タッチ信号検出点６３１、…、６３ｉの各点におけるタッチ信号の変化を逐次検出し、それと共に、制御回路６２１もアナログスイッチ群６２８により、アナログスイッチ群６２６の出力端とスクリーン６１０の電極線との間のタッチ信号検出点６３ｉ＋１、…、６３ｎをそれぞれッチ回路６２５のポート６２５２に連通し、前記タッチ回路６２５は、タッチ信号検出点６３ｉ＋１、…、６３ｎの各点におけるタッチ信号の変化を逐次検出し、タッチ回路６２５は、グループスキャンにより、タッチ信号検出点６３１〜６３ｉ、及び６３ｉ＋１〜６３ｎにおけるタッチ信号の変化をそれぞれ検出して、スクリーン６１０がタッチされたか否か、どの行列電極線の位置がタッチされたかを判定し、スクリーン６１０はタッチ検出状態になる。検出されたタッチされた行電極線とタッチされた列電極線との交差点から、タッチされたポイントの位置が決定される。
【００６５】
タッチフラットパネルディスプレイ６００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００６６】
タッチ信号検出点６３１、６３２、…、６３ｉ、６３ｉ＋１、…、６３ｎを２群に分けてタッチ信号の走査検出を同時に行うことは、群分けをしないでタッチ信号の走査検出を行うことより、時間が節約される。タッチ信号検出点をより多い群に分けて走査検出を同時に行うと、タッチ検出の期間をさらに短縮し、表示駆動の期間をさらに延長することができ、タッチ検出による表示効果への影響を避けることに有利である。
【００６７】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００６８】
実施形態７
図７に示すタッチフラットパネルディスプレイ７００は、薄膜トランジスタ（ＴＦＴ）能動型スクリーン７１０と、駆動回路７２０とを備える。駆動回路７２０は、制御回路７２１と、表示駆動エネルギーを供給する表示駆動源７２２と、タッチ励起エネルギーを供給するタッチ励起源７２３と、表示信号ゲート出力回路７２４と、タッチ回路７２５と、アナログスイッチ群７２６及び７２７からなる表示／タッチ信号ゲート出力回路と、などを備える。スクリーン７１０は、スクリーンの行電極７１１、列電極７１２及び共通電極７１３などを有する。表示信号ゲート出力回路７２４の入力端は表示駆動源７２２に接続され、表示信号ゲート出力回路７２４の各出力端はそれぞれアナログスイッチ群７２６の各アナログスイッチの一方の入力端に接続され、アナログスイッチ群７２６の各アナログスイッチの他方の入力端は、それぞれアナログスイッチ群７２７の各アナログスイッチの出力端に接続され、アナログスイッチ群７２６の各アナログスイッチの出力端は、それぞれスクリーンの行電極７１１及び列電極７１２の各電極線及び共通電極７１３に接続され、アナログスイッチ群７２７の各アナログスイッチの一方の入力端は、タッチ回路７２５のタッチ信号サンプリング素子７３１を介してタッチ励起源７２３に接続され、他方の入力端は一緒にタッチ励起源７２３に直接接続され、タッチ信号サンプリング素子７３１はタッチ回路７２５に接続され、タッチ回路７２５はサンプリング素子におけるタッチ信号の変化を検出する。制御回路７２１は、アナログスイッチ群７２６にて、スクリーンの各電極線を、表示信号ゲート出力回路７２４が、接続されるスクリーンの行電極７１１及び列電極７１２の各電極線及び共通電極７１３へ表示駆動信号を送信するように表示信号ゲート出力回路７２４の各出力端に連通したり、タッチ励起源７２３が、接続されるスクリーンの行電極７１１及び列電極７１２の各電極線及び共通電極７１３へタッチ励起信号を与えるようにタッチ励起源７２３に連通したりする。図７における各本の接続線は、単線による接続だけでなく、複数の線による接続関係も示す。
【００６９】
前記タッチフラットパネルディスプレイは、以下のように作動する。
【００７０】
表示駆動の時期では、駆動回路７２０におけるアナログスイッチ群７２６は、スクリーンの各電極線を表示信号ゲート出力回路７２４の各出力端に接続し、制御回路７２１は表示信号ゲート出力回路７２４により、接続されるスクリーンの行電極７１１、列電極７１２及び共通電極７１３へ表示駆動信号を送信し、スクリーン７１０は表示駆動状態になる。
【００７１】
タッチ検出の時期では、制御回路７２１は、アナログスイッチ群７２６により、スクリーンの各電極を全てアナログスイッチ群７２７に接続し、さらに、アナログスイッチ群７２７を介して、１回ごとに１本のスクリーン電極線だけ、又は１回ごとに複数本のスクリーン電極線を、タッチ信号サンプリング素子７３１を介してタッチ励起源７２３に連通し、残りのスクリーン電極は、直接にタッチ励起源７２３に連通し、タッチ回路７２５は、タッチ信号サンプリング素子７３１におけるタッチ信号の変化を逐次検出することにより、スクリーン７１０がタッチされたか否か、どの行列電極線の位置がタッチされたかを判定し、スクリーン７１０はタッチ検出状態になる。検出されたタッチされた行電極線とタッチされた列電極線との交差点から、タッチされたポイントの位置が決定される。
【００７２】
タッチフラットパネルディスプレイ７００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００７３】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００７４】
タッチ信号サンプリングユニットは、単一の抵抗、キャパシタンスやインダクタンスの受動素子であってもよく、複数種の受動素子の組み合わせであってもよく、単一の能動素子であってもよく、または、能動素子を備える回路ユニットであってもよい。
【００７５】
実施形態８
図８に示すタッチフラットパネルディスプレイ８００は、薄膜トランジスタ（ＴＦＴ）能動型スクリーン８１０と、駆動回路８２０とを備える。駆動回路８２０は、制御回路８２１と、表示駆動エネルギーを供給する表示駆動源８２２と、タッチ励起エネルギーを供給するタッチ励起源８２３と、表示信号ゲート出力回路８２４と、タッチ回路８２５と、アナログスイッチ群８２６及びアナログスイッチ群８２７１、８２７２、８２７３、８２７４からなる表示／タッチ信号ゲート出力回路と、などを備える。スクリーン８１０は、ＴＦＴアレイの行電極８１１、列電極８１２及び共通電極８１３などを有する。表示信号ゲート出力回路８２４の入力端は表示駆動源８２２に接続され、表示信号ゲート出力回路８２４の各出力端はそれぞれアナログスイッチ群８２６の各アナログスイッチの一方の入力端に接続され、アナログスイッチ群８２６の各アナログスイッチの他方の入力端は、４群に分けてそれぞれアナログスイッチ群８２７１、８２７２、８２７３及び８２７４における各スイッチの各出力端に接続され、アナログスイッチ群８２７１、８２７２、８２７３及び８２７４における各スイッチの一方の入力端は、それぞれタッチ回路８２５のタッチ信号サンプリング素子８３１、８３２、８３３及び８３４を介してタッチ励起源８２３に接続され、アナログスイッチ群８２７１、８２７２、８２７３及び８２７４における各スイッチの他方の入力端は、一緒にタッチ励起源８２３に直接接続される。タッチ信号サンプリング素子８３１、８３２、８３３及び８３４のアナログスイッチ群８２７１、８２７２、８２７３及び８２７４に接続される端点には、検出点接続タッチ回路８２５が設置される。タッチ回路８２５は検出点における電位の変化を検出し、電位測定の参照端点は、タッチ信号サンプリング素子８３１、８３２、８３３及び８３４の他方の端点（即ち、タッチ励起源８２３の出力端）に設けられてもよく、駆動回路８２０の共通グランド端に設けられてもよく、または、駆動回路８２０のある特定の参照ポイントに設けられてもよい。制御回路８２１は、アナログスイッチ群８２６及びアナログスイッチ群８２７１、８２７２、８２７３、８２７４により、スクリーンの各電極線を、表示信号ゲート出力回路８２４が、接続されるスクリーンの行電極８１１及び列電極８１２の各電極線及び共通電極８１３へ表示駆動信号を送信するように表示信号ゲート出力回路８２４の各出力端に連通したり、タッチ励起源８２３が、接続されるスクリーンの行電極８１１及び列電極８１２各電極線及び共通電極８１３へタッチ励起信号を与えるようにタッチ励起源８２３に連通したりする。図８における各本の接続線は、単線による接続だけでなく、複数の線による接続関係も示す。
【００７６】
前記タッチフラットパネルディスプレイは、以下のように作動する。
【００７７】
表示駆動の時期では、駆動回路８２０におけるアナログスイッチ群８２６は、スクリーンの各電極線を表示信号ゲート出力回路８２４の各出力端に接続し、制御回路８２１は表示信号ゲート出力回路８２４により、接続されるスクリーンの行電極８１１、列電極８１２及び共通電極８１３へ表示駆動信号を送信し、スクリーン８１０は表示駆動状態になる。
【００７８】
タッチ検出の時期では、制御回路８２１はアナログスイッチ群８２６により、スクリーンの各電極群を４群に分けてアナログスイッチ群８２７１、８２７２、８２７３及び８２７４にそれぞれ接続し、１回ごとに各組における一部の（１本又は複数本の）スクリーン電極線を、それぞれタッチ信号サンプリング素子８３１、８３２、８３３及び８３４を介してタッチ励起源８２３に連通し、残りのスクリーン電極線は直接にタッチ励起源８２３に連通し、タッチ回路８２５は、各検出点におけるタッチ信号の変化をそれぞれ検出するとともに、スクリーン８１０の複数の領域に対して同時にタッチ検出を行うことにより、スクリーン８１０がタッチされたか否か、どの領域がタッチされたか、どの行列電極線の位置がタッチされたかを判定し、スクリーン８１０はタッチ検出状態になる。検出されたタッチされた行電極線とタッチされた列電極線との交差点から、タッチされたポイントの位置が決定される。
【００７９】
タッチフラットパネルディスプレイ８００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００８０】
スクリーンの複数の領域に対して走査検出を同時に行うことで、全スクリーンへのタッチ検出に必要な時間を節約し、タッチ検出の時期をさらに短縮し、表示駆動の期間をさらに延長することができ、タッチ検出による表示効果への影響を避けることに有利である。
【００８１】
実施形態９
【００８２】
図９に示すタッチフラットパネルディスプレイ９００は、受動スクリーン９１０と、駆動回路９２０とを備える。駆動回路９２０は、制御回路９２１と、表示駆動エネルギーを供給する表示駆動源９２２と、タッチ励起エネルギーを供給するタッチ励起源９２３と、表示信号ゲート出力回路９２４と、タッチ回路９２５と、表示／タッチ信号ローディング回路群９２６及びアナログスイッチ群９２７と、などを備える。スクリーン９１０は、スクリーンの行電極９１１及び列電極９１２などを有する。表示駆動源９２２にはＤＣ電源が使用され、タッチ励起源９２３には高い（例えば、５０Ｋ  Ｈｚよりも大きい）周波数のＡＣ電源が使用される。表示信号ゲート出力回路９２４の入力端は表示駆動源９２２に接続され、表示信号ゲート出力回路９２４の各出力端は、それぞれ表示／タッチ信号ローディング回路群９２６の各信号ローディング回路ユニット９２６１、９２６２、…、９２６ｎの一方の入力端に接続され、表示／タッチ信号ローディング回路群９２６の各信号ローディング回路ユニット９２６１、９２６２、…、９２６ｎの他方の入力端は、それぞれアナログスイッチ群９２７の各アナログスイッチの出力端に接続され、表示／タッチ信号ローディング回路群９２６の各信号ローディング回路ユニット９２６１、…、９２６ｎの出力端は、それぞれスクリーンの行電極９１１及び列電極９１２の各電極線に接続され、アナログスイッチ群９２７の各スイッチの一方の入力端は、タッチ回路９２５のタッチ信号サンプリング抵抗９３１を介してタッチ励起源９２３に接続され、他方の入力端はバランス抵抗９３２を介してタッチ励起源９２３に接続される。タッチ信号サンプリング抵抗９３１のアナログスイッチ群９２７に接続される端点には検出点が設置され、タッチ回路９２５に接続される。タッチ回路９２５は検出点における電位の変化を検出し、電位測定の参照端点は、タッチ信号サンプリング抵抗９３１の他方の端点（即ち、タッチ励起源９２３の出力端）に設けられてもよく、バランス抵抗９３２のアナログスイッチ群９２７に接続される端点に設けられてもよく、または、駆動回路９２０の共通グランド端に設けられてもよく、駆動回路９２０のある特定の参照ポイントに設けられてもよい。表示／タッチ信号ローディング回路群９２６及びアナログスイッチ群９２７は、表示駆動源９２２及び交流タッチ励起源９２３の複合信号をスクリーンの行電極９１１及び列電極９１２の各電極線に与える。図９における各本の接続線は、単線による接続だけでなく、複数の線による接続関係も示す。
【００８３】
前記タッチフラットパネルディスプレイは、表示駆動及びタッチ検出を同時に行うことにより作動してもよい。
【００８４】
制御回路９２１は、１回ごとにアナログスイッチ群９２７の各アナログスイッチのうちの１つのスイッチだけを選択し、タッチ信号サンプリング抵抗９３１を介して高周波のタッチ励起源９２３に接続し、残りのスイッチもバランス抵抗９３２を介して高周波のタッチ励起源９２３に接続する。表示／タッチ信号ローディング回路群９２６の各信号ローディング回路ユニットは、表示駆動源９２２及びタッチ励起源９２３からの低周波表示駆動信号及び高周波タッチ信号の複合信号を、接続されたスクリーンの行電極９１１及び列電極９１２の各電極線に与える。制御回路９２１は、アナログスイッチ群９２７の各スイッチを逐次にタッチ信号サンプリング抵抗９３１を介してタッチ励起源９２３に連通し、アナログスイッチ群９２７の残りのスイッチをバランス抵抗９３２を介してタッチ励起源９２３に連通し、スクリーンの行電極９１１及び列電極９１２の各電極線は、タッチ信号を同時に送信するとともに、タッチ回路９２５は１回ごとにスクリーンの行電極９１１及び列電極９１２における１本の電極線における高周波のタッチ信号の変化のみを検出する。タッチ回路９２５は、タッチ信号サンプリング抵抗９３１における高周波のタッチ信号の変化を逐次検出することにより、スクリーン９１０がタッチされたか否か、どの電極線の位置がタッチされたかを判定する。検出されたタッチされた行電極線とタッチされた列電極線との交差点から、タッチされたポイントの位置が決定される。表示駆動及びタッチ検出の場合にスクリーン電極を周波数分割多重化し、表示もタッチもできるタッチフラットパネルディスプレイを形成する。
【００８５】
前記タッチフラットパネルディスプレイは、表示駆動及びタッチ検出を時分割的に行うことにより作動してもよい。
【００８６】
表示駆動の時期では、駆動回路９２０におけるアナログスイッチ群９２７の各スイッチは、タッチ励起源９２３から遮断されて表示駆動源９２２に接続し、表示／タッチ信号ローディング回路群９２６の各信号ローディング回路ユニットは、表示駆動源９２２からの低周波表示駆動信号を、接続されたスクリーンの行電極９１１及び列電極９１２の各電極線に与え、スクリーン９１０は表示駆動状態になる。
【００８７】
タッチ検出の時期では、制御回路９２１は、１回ごとにアナログスイッチ群９２７の各アナログスイッチにおける１つのスイッチのみを選択し、タッチ信号サンプリング抵抗９３１を介して高周波のタッチ励起源９２３に接続し、残りのスイッチもバランス抵抗９３２を介して高周波のタッチ励起源９２３に接続する。表示／タッチ信号ローディング回路群９２６の各信号ローディング回路ユニットは、表示駆動源９２２及びタッチ励起源９２３からの低周波表示駆動信号及び高周波タッチ信号の複合信号を、接続されたスクリーンの行電極９１１及び列電極９１２の各電極線に同時に与える。さらに、制御回路９２１により、表示信号ゲート出力回路９２４の表示駆動状態が黒又は白である表示駆動信号を出力すると、信号ローディング回路群９２６の各信号ローディング回路ユニットは、スクリーンの行電極９１１及び列電極９１２の各電極線へ低周波の黒又は白の表示駆動信号及び高周波タッチ信号を同時に送信する。制御回路９２１は、アナログスイッチ群９２７の各スイッチを逐次にタッチ信号サンプリング抵抗９３１を介してタッチ励起源９２３に連通し、アナログスイッチ群９２７の残りのスイッチをバランス抵抗９３２を介してタッチ励起源９２３に連通し、スクリーンの行電極９１１及び列電極９１２の各電極線は、同時にタッチ信号を送信するとともに、タッチ回路９２５は、１回ごとにスクリーンの行電極９１１及び列電極９１２におけるタッチ信号サンプリング抵抗９３１に連通する電極線における高周波のタッチ信号の変化のみを検出する。タッチ回路９２５は、タッチ信号サンプリング抵抗９３１における高周波のタッチ信号の変化を逐次検出することにより、スクリーン９１０がタッチされたか否か、どの電極線の位置がタッチされたかを判定し、スクリーン９１０はタッチ検出状態になる。検出されたタッチされた行電極線とタッチされた列電極線との交差点から、タッチされたポイントの位置が決定される。
【００８８】
タッチフラットパネルディスプレイ９００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００８９】
実施形態１０
図１０に示すタッチフラットパネルディスプレイ１０００は、薄膜トランジスタ（ＴＦＴ）能動型スクリーン１０１０と、駆動回路１０２０とを備える。駆動回路１０２０は、制御回路１０２１と、表示駆動エネルギーを供給する表示駆動源１０２２と、タッチ励起エネルギーを供給するタッチ励起源１０２３と、表示信号ゲート出力回路１０２４と、タッチ回路１０２５と、表示／タッチ信号ゲート出力回路と、などを備える。表示／タッチ信号ゲート出力回路は、単極単投アナログスイッチからなる多極単投（ｍｕｌｔｉ−ｐｏｌｅ  ｓｉｎｇｌｅ−ｔｈｒｏｗ）アナログスイッチ群であるアナログスイッチ群１０２６から構成される。スクリーン１０１０は、スクリーンの行電極１０１１、列電極１０１２及び共通電極１０１３などを有する。表示信号ゲート出力回路１０２４の入力端は表示駆動源１０２２に接続され、表示信号ゲート出力回路１０２４の各出力端は、それぞれアナログスイッチ群１０２６の各アナログスイッチの一方の入力端に接続され、アナログスイッチ群１０２６の各アナログスイッチの２番目の入力端は、２群に分けてそれぞれサンプリング抵抗１０３１、１０３２を介してタッチ励起源１０２３に接続され、アナログスイッチ群１０２６の各アナログスイッチの３番目の入力端は直接にタッチ励起源１０２３に接続され、アナログスイッチ群１０２６の各アナログスイッチの出力端は、それぞれスクリーンの行電極１０１１及び列電極１０１２の各電極線及び共通電極１０１３に接続され、タッチ信号サンプリング抵抗１０３１、１０３２の、アナログスイッチ群１０２６の入力端に接続される接続点には、タッチ信号検出点１０３１０、１０３２０が設置され、前記タッチ回路１０２５は各検出点におけるタッチ信号の変化を検出する。電位測定の参照端点は、タッチ信号サンプリング抵抗１０３１、１０３２の他方の端点（即ち、タッチ励起源１０２３の出力端）に設けられてもよく、駆動回路１０２０の共通グランド端に設けられてもよく、または、駆動回路１０２０のある特定の参照ポイントに設けられてもよい。制御回路１０２１は、アナログスイッチ群１０２６により、スクリーンの各電極線を、表示信号ゲート出力回路１０２４が、接続されるスクリーンの行電極１０１１及び列電極１０１２の各電極線及び共通電極１０１３へ表示駆動信号を送信するように表示信号ゲート出力回路１０２４の各出力端に連通したり、タッチ励起源１０２３が、接続されるスクリーンの行電極１０１１及び列電極１０１２の各電極線及び共通電極１０１３へタッチ励起信号を与えるようにタッチ励起源１０２３に連通したりする。図１０における各本の接続線は、単線による接続だけでなく、複数の線による接続関係も示す。
【００９０】
前記タッチフラットパネルディスプレイは、以下のように作動する。
【００９１】
表示駆動の時期では、駆動回路１０２０におけるアナログスイッチ群１０２６は、スクリーンの各電極線を表示信号ゲート出力回路１０２４の各出力端に連通し、制御回路１０２１は、表示信号ゲート出力回路１０２４により、接続されるスクリーンの行電極１０１１、列電極１０１２及び共通電極１０１３へ表示駆動信号を送信し、スクリーン１０１０は表示駆動状態になる。
【００９２】
タッチ検出の時期では、制御回路１０２１は、アナログスイッチ群１０２６により、１回ごとに１本のスクリーン電極線だけ、又は１回ごとに複数本のスクリーン電極線を、タッチ信号サンプリング抵抗１０３１、１０３２を介してタッチ励起源１０２３に連通し、残りのスクリーン電極は直接タッチ励起源１０２３に連通し、タッチ回路１０２５は、各検出点におけるタッチ信号の変化をそれぞれ検出し、スクリーン１０１０の複数の領域に対して同時にタッチ検出を行うことにより、スクリーン１０１０がタッチされたか否か、どの領域がタッチされたか、どの行列電極線の位置がタッチされたかを判定し、スクリーン１０１０はタッチ検出状態になる。検出されたタッチされた行電極線とタッチされた列電極線との交差点から、タッチされたポイントの位置が決定される。
【００９３】
タッチフラットパネルディスプレイ１０００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００９４】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００９５】
実施形態１１
図１１に示すように、実施形態１１は、表示／タッチ信号ゲート出力回路を構成するアナログスイッチ群１１２６が多位置単極多投アナログスイッチからなる点において実施形態１０と異なっているが、その接続方及び作動原理が実施形態１０と同じである。
【００９６】
実施形態１２
図１２に示すタッチフラットパネルディスプレイ１２００は、スクリーン１２１０と、駆動回路１２２０とを備える。駆動回路１２２０は、制御回路１２２１と、表示駆動エネルギーを供給する表示駆動源１２２２と、タッチ励起エネルギーを供給するタッチ励起源１２２３と、表示信号ゲート出力回路１２２４と、タッチ回路１２２５と、表示／タッチ信号ゲート出力回路と、などを備える。表示／タッチ信号ゲート出力回路は、多位置単極単投アナログスイッチからなるＭＰＭＴアナログスイッチ群であるアナログスイッチ群１２２６から構成される。スクリーン１２１０は、スクリーンの行電極１２１１及び列電極１２１２などを有する。表示信号ゲート出力回路１２２４の入力端は表示駆動源１２２２に接続され、表示信号ゲート出力回路１２２４の各出力端は、それぞれアナログスイッチ群１２２６の各アナログスイッチの一方の入力端に接続され、アナログスイッチ群１２２６の各アナログスイッチの２番目の入力端は、それぞれタッチ回路１２２５のタッチ信号サンプリング素子１２３１を介して一緒にタッチ励起源１２２３に接続され、アナログスイッチ群１２２６の各アナログスイッチの３番目の入力端は、それぞれバランス素子１２３２を介して一緒にタッチ励起源１２２３に接続され、アナログスイッチ群１２２６の各アナログスイッチの出力端は、それぞれスクリーンの行電極１２１１及び列電極１２１２の各電極線に接続される。アナログスイッチ群１２２６とタッチ信号サンプリング素子１２３１との間の接続点には、スクリーンの各電極線に対応するタッチ信号検出点１２３１０が設置され、さらにタッチ回路１２２５に接続され、前記タッチ回路１２２５は検出点における電位の変化を検出し、電位測定の参照端点は、タッチ励起源１２２３の出力端に設けられてもよく、駆動回路１２２０の共通グランド端に設けられてもよく、または、駆動回路１２２０のある特定の参照ポイントに設けられてもよい。制御回路１２２１は、アナログスイッチ群１２２６により、スクリーンの各電極線を、表示信号ゲート出力回路１２２４が、接続されるスクリーンの行電極１２１１及び列電極１２１２の各電極線へ表示駆動信号を送信するように表示信号ゲート出力回路１２２４の各出力端に連通したり、タッチ励起源１２２３が、接続されるスクリーンの行電極１２１１及び列電極１２１２の各電極線へタッチ励起信号を与えるようにタッチ励起源１２２３に連通したりする。図１２における各本の接続線は、単線による接続だけでなく、複数の線による接続関係も示す。
【００９７】
前記タッチフラットパネルディスプレイは、以下のように作動する。
【００９８】
表示駆動の時期では、駆動回路１２２０におけるアナログスイッチ群１２２６は、スクリーンの各電極線を表示信号ゲート出力回路１２２４の各出力端に接続し、制御回路１２２１は、表示信号ゲート出力回路１２２４により、接続されるスクリーンの行電極１２１１及び列電極１２１２へ表示駆動信号を送信し、スクリーン１２１０は表示駆動状態になる。
【００９９】
タッチ検出の時期では、制御回路１２２１はアナログスイッチ群１２２６により、１回ごとに１本のスクリーン電極線のみをタッチ信号サンプリング素子１２３１を介してタッチ励起源１２２３に連通し、残りのスクリーン電極をバランス素子１２３２を介してタッチ励起源１２２３に連通し、前記タッチ回路１２２５は、タッチ信号検出点におけるタッチ信号の変化を逐次検出することにより、スクリーン１２１０がタッチされたか否か、どの行列電極線の位置がタッチされたかを判定し、スクリーン１２１０はタッチ検出状態になる。検出されたタッチされた行電極線とタッチされた列電極線との交差点から、タッチされたポイントの位置が決定される。
【０１００】
タッチフラットパネルディスプレイ１２００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１０１】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【０１０２】
タッチ信号サンプリングユニットは、単一の抵抗、キャパシタンスやインダクタンスの受動素子であってもよく、複数種の受動素子の組み合わせであってもよく、単一の能動素子であってもよく、または、能動素子を有する回路ユニットであってもよい。
【０１０３】
以上、具体的な好ましい実施形態と合わせて本発明を更に詳細に説明したが、本発明の具体的な実施がそれらの説明に限定されると思うべきではない。当業者にとっては、本発明の趣旨を逸脱することなく、さらに幾つかの簡単な推理・演繹又は置換を行うことができ、これらは本発明の保護範囲に属すると考えるべきである。
【図１】
2012532389.tif 000003
【図２】
2012532389.tif 000004
【図３】
2012532389.tif 000005
【図４】
2012532389.tif 000006
【図５】
2012532389.tif 000007
【図６】
2012532389.tif 000008
【図７】
2012532389.tif 000009
【図８】
2012532389.tif 000010
【図９】
2012532389.tif 000011
【図１０】
2012532389.tif 000012
【図１１】
2012532389.tif 000013
【図１２】
2012532389.tif 000014
【国際調査報告】
2012532389.tif 000015
2012532389.tif 000016
2012532389.tif 000017
2012532389.tif 000018